(57)【要約】  柔軟で平らな材料によって形成された物品用保護包装材であって、前記材料が長さにわたって折り曲げられ、それによって並置された平行な側方エッジ３を有する２つの壁４、５が形成され、この壁が材料の自由エッジ６によって開放したスリット７を形成し、包装材を閉鎖するために壁がその端面側の端部８において互いに連結されている、上記保護包装材は、開放したスリット７が壁５内に側方エッジ３から離して形成されていることと、両側方エッジ３が折り曲げの折り目によって形成されていることにより、簡単な製作と、改善された取り扱い操作を可能にする。
2008542141.tif 000002
【特許請求の範囲】
【請求項１】
柔軟で平らな材料によって形成された物品用保護包装材であって、前記材料が長さにわたって折り曲げられ、それによって並置された平行な側方エッジ（３）を有する２つの壁（５、６）が形成され、この壁が材料の自由エッジ（６）によって開放したスリット（７）を形成し、包装材を閉鎖するために壁がその端面側の端部（８）において互いに連結されている、上記保護包装材において、
開放したスリット（７）が壁（５）内に側方エッジ（３）から離して形成されていることと、両側方エッジ（３）が折り曲げの折り目によって形成されていることを特徴とする保護包装材。
【請求項２】
平行な側方エッジ（３）が側方折り曲げ部の形に折り曲げられていることを特徴とする請求項１に記載の保護包装材。
【請求項３】
開放したスリット（７）が壁（５）の中央にまたは中央からずらされた位置に配置されていることを特徴とする請求項１または２に記載の保護包装材。
【請求項４】
スリット（７）がオーバーラップする壁（５）の自由エッジ（６）によって形成されていることを特徴とする請求項１〜３のいずれか一項に記載の保護包装材。
【請求項５】
自由エッジ（６）が互いにオーバーラップしていることを特徴とする請求項１〜４のいずれか一項に記載の保護包装材。
【請求項６】
開放したスリット（７）が閉じた端面側の端部（８）の間において包装材の全長にわたって延在していることを特徴とする請求項１〜５のいずれか一項に記載の保護包装材。
【請求項７】
端面側の端部における連結が、接着、縫製またはきざみ付けによって行われることを特徴とする請求項１〜６のいずれか一項に記載の保護包装材。
【請求項８】
他の横方向連結部または縦方向連結部によって、端面側の端部の間にチャンバが形成されていることを特徴とする請求項１〜７のいずれか一項に記載の保護包装材。
【請求項９】
材料の外層（１）がスリット（７）を形成する自由エッジ（６）のところで少なくとも１つの内層（２）の周りに折り曲げられ、かつ包装材の内面に接着されていることを特徴とする請求項１〜８のいずれか一項に記載の保護包装材。
【請求項１０】
材料の内層（２）がスリット（７）を形成する自由エッジ（６）のところで外層（１）の周りに折り曲げられ、かつ包装材の外面に接着されていることを特徴とする請求項１〜９のいずれか一項に記載の保護包装材。
【請求項１１】
材料が多層のクラフト紙、合成樹脂シート、エアクッション付き合成樹脂シート、フリース、織物、フェルト、複合シート、金属箔または発泡合成樹脂からなることを特徴とする請求項１〜１０のいずれか一項に記載の保護包装材。
【発明の詳細な説明】
【技術分野】
【０００１】
本発明は、柔軟で平らな材料によって形成された物品用保護包装材であって、材料が長さにわたって折り曲げられ、それによって並置された平行な側方エッジを有する２つの壁が形成され、この壁が材料の自由エッジによって開放したスリットを形成し、包装材を閉鎖するために壁がその端面側の端部において互いに連結されている、保護包装材に関する。
【背景技術】
【０００２】
特にかさばる物品、例えば自動車のバンパーのための保護包装材はかなり前からクラフト紙によって、すなわち紙袋製作で知られている技術で製作される。多層のクラフト紙は長さ方向に一度折り曲げられるので、重なる２つの同じ壁が形成される。この構造体は、例えば形成された壁の端面側の端部で壁を縫い合わせることによって、端面側の端部が閉鎖される。それによって、きわめて簡単に製作可能な保護包装材が生じる。この保護包装材は側方エッジに、包装材の長さにわたって延在するスリットを有する。このスリットは、形成された封筒に似た保護包装材内にバンパーを挿入するために、引き開けることができる。それに続く搬送のために、壁の外側に張られスリットにまたがる粘着テープによって、スリットが閉鎖される。
【０００３】
公知の保護包装材はきわめて簡単にかつ低コストで製作可能であるが、取り扱い操作上ある欠点がある。スリットの引き開けまたは開放保持と、通常は１．５ｍを超える長さを有する非常に長い物品の挿入を注意深く慎重に行う必要がある。それによって、スリットを粘着テープで閉鎖する前に物品を包装材内に確実に保持し、物品を落下しないように固定保持することができる。それまでは構造体は非常に不安定である。包装材が物品を充填するために折り目によって形成された側方エッジで立っているので、包装材は、場合によっては物品と共に倒れやすい。それによって、物品は包装材から滑り落ちて損傷し、例えば引っ掻き傷がつく可能性もある。
【発明の開示】
【発明が解決しようとする課題】
【０００４】
本発明の根底をなす課題は、面倒でコストのかかる製作を必要とせずに、改善された取り扱い操作を可能にする、上記種類の保護包装材を提供することである。
【課題を解決するための手段】
【０００５】
この課題を解決するために、本発明では、冒頭に述べた種類の保護包装材は、開放したスリットが壁内に側方エッジから離して形成されていることと、両側方エッジが折り曲げの折り目によって形成されていることを特徴とする。
【０００６】
それによって、本発明の保護包装材の場合には、材料が縦方向に二度折り曲げられるので、両側方エッジが折り目によって形成されている。側方折り目を形成しながら折り曲げを行うことができるので、完成した包装材はカセットとして形成されている。
【０００７】
材料の両自由エッジは壁内で互いに突き合わせられ、端面側の端部の間に開放したスリットを形成している。この端面側の端部は、包装材の閉鎖のために互いに連結されている。そのために、縫合、接着、溶着、多重折り曲げ、きざみ付け（エンボス加工）、型打ち連結、本縫い等のような公知の連結技術を適用可能である。
【０００８】
開放したスリットが壁内に形成されているので、この壁は包装材の上壁として使用される。包装材の上壁によって形成された上面でスリットが引き開け可能であるので、下壁は包装材の底として使用され、台の上に平らに載せることが可能である。それによって、物品、例えば自動車のバンパーを挿入する間、保護包装材が安定した状態で位置決めされる。物品を包装材に入れた後で、引き開けられたスリットが物品の重量または形状によって十分に狭められるので、保護包装材からの物品の不意の滑り落ちが実際に防止される。場合によっては、それに続いて、保護包装材のスリットを公知の方法で閉鎖することができる。これは、会社内部での搬送については、保護包装材の構造に基づいて往々にして不要である。
【０００９】
本発明の特に合目的な実施形態では、開放したスリットが壁の中央に配置されている。しかし、スリットを中央からずらした位置に、すなわち例えば包装材の右側または左側の３分の１のところに配置してもよい。
【００１０】
さらに、開放したスリットは好ましくは閉じた端面側の端部の間において包装材の全長にわたって延在している。それによって、物品を保護包装材に充填する前に、形成されたスリットを部分的に閉鎖する必要がない。
【００１１】
本発明に従って形成されたスリットの安定性と、物品を保護包装材に充填した後のスリットの閉鎖する傾向は、クラフト紙の外層がスリットを形成する自由エッジのところで少なくとも内層の周りに折り曲げられ、かつ包装材の内面に接着されていることによって促進される。それによって、スリットを画成するクラフト紙の自由エッジは、折り曲げられた外層によって、帯状の補強部を得る。この補強部は自由エッジの形状安定性を高め、さらに、自由エッジにおける材料層の「すり切れ」を防止する。
【００１２】
代替的な実施形態では、材料の内層がスリットを形成する自由エッジのところで外層の周りに折り曲げられ、かつ包装材の外面に接着されている。
【００１３】
さらに、スリットは、自由エッジが互いにオーバーラップするように形成可能である。それによって、保護包装材内での、包装された物品の付加的な保持が行われる。
【００１４】
縦方向に折り畳むことにより、２つのチャンバが生じる。このチャンバは場合によってはそれぞれ別々に物品を充填可能である。
【００１５】
特別な実施形態では、端面側の連結部の間の、場合によっては中断された他の横方向連結部または縦方向連結部によって、区画を形成することができる。そして、包装材を巻いたり、または折り畳んだりすることができる。このような区画は例えば蛍光管等を包装する場合に合目的である。
【００１６】
包装材は好ましくは少なくとも３層、特に４層に形成されている。この場合、外層は印刷可能な外面を有し、包装材の内面を形成する内層は片側が滑らかに形成されている。
【００１７】
材料としては、例えば複数層のクラフト紙、合成樹脂フィルム、ポリエチレンまたはポリプロピレンフィルム、共押出しＰＥ／ＰＰフィルム、空気クッションフィルム、例えばポリエチレンまたはポリプロピレンまたはそれらの共重合体または混合物からなるフリース、合成または非合成織物、発泡体、金属フィルム、例えば遮断層を有することができる複合材料またはフェルトが考慮の対象になる。
【００１８】
本発明による包装材の取り扱い操作は、スリットを形成する自由エッジが互いにオーバーラップして配置されていることによってさらに改善される。このオーバーラップにより、物品を充填した後でスリットを自動閉鎖するための付加的な材料が存在している。
【発明を実施するための最良の形態】
【００１９】
次に、図に示した実施形態に基づいて本発明を詳しく説明する。
【００２０】
本発明による保護包装材は多層のクラフト紙によって作られている。この多層のうち、図２には簡単化するために、外層１と内層２だけが示してある。層１、２は２個所で折り曲げられ、折り目が（下）壁４と上壁５の側方エッジ３を形成している。それによって、上壁５は２つの壁部分５ａ、５ｂからなっている。上壁５の中央において、両壁部分５ａ、５ｂの自由エッジ６が互いに突き合わせられ、保護包装材の長さにわたって延在する開放したスリット７を形成している。
【００２１】
壁５、６は端面側の端部８において縫い目９によって互いに連結されている。この縫い目はそれ自体公知のごとく、（図示せず）紐で縫うことによって形成される。
【００２２】
自由エッジ６は図２に示すように保護形成されている。この保護形成は、外層１を自由エッジ６の範囲において内層２の周りに折り曲げ、包装材の内面において帯状の接着剤１０によって内層２の内面に接着することによって行われる。これにより、自由エッジ６が外層１の折り目によって覆われ、帯状接着剤１０と、内側に折り曲げられた外層１の帯状の付加的な層とによって、開放したスリット７の画成部としての自由エッジ６の帯状補強部が生じる。
【００２３】
図２には、簡単化するために、１つの内層２だけが示してある。包装材の十分な安定性を確保するために、複数の内層、特に３つの内層を有すると有利である。縫い目９によって画成された開放スリット７は縫い目９の間で包装材の全長にわたって延在している。
【００２４】
図示ではスリット７は上壁５の中央に示してあるが、もちろん、側方エッジ３に対して常に十分な距離が保たれるときには、変形として、スリットを壁５の中央からずれた位置に設けることができる。側方エッジに対する最小距離は、壁５の幅の約１／４である。
【００２５】
さらに、壁５の壁部分５ａ、５ｂを互いにオーバーラップするように形成することができる。それによって、スリット７は閉じた状態でラビリンス閉鎖部材を形成する。オーバーラップは２０ｃｍまで、すなわち壁５の幅の約１／３まで可能である。オーバーラップにより、物品を充填した包装材のために付加的な壁材料が供される。それによって、スリット７を閉鎖し、挿入された物品の不意の滑り落ちを防止することができる。
【００２６】
包装材は幅や深さよりもはるかに大きな寸法の長さを有する形状にも適している。包装材は例えば２ｍ超、好ましくは２．５ｍを超える長さと、０．５〜０．７５ｍ、好ましくは０．６〜０．６５ｍの幅を有する。
【図面の簡単な説明】
【００２７】
【図１】スリットを形成した保護包装材の上壁を示す平面図である。
【図２】図１の１１−１１線に沿った保護包装材の横断面図である。
【図１】
2008542141.tif 000003
【図２】
2008542141.tif 000004
【国際調査報告】
2008542141.tif 000005
2008542141.tif 000006
2008542141.tif 000007
2008542141.tif 000008
2008542141.tif 000009
2008542141.tif 000010